(57)【要約】      （修正有）【課題】横胴縁を介して外壁材を固定する木造住宅において、通気層を流れる空気の流動性を良好にする外壁構造を提供する。【解決手段】横胴縁３１を介して外壁材３２を設ける木造住宅の外壁構造であって、横胴縁の室内側に、縦方向に延びるスペーサ３０を適宜の左右間隔で配設し、スペーサを介して構造用合板２６と横胴縁との間に、空気を流動させる通気層４０を形成する。通気層は、上下方向に流動する空気の流れを妨げないので、外壁材を固定するために横胴縁を採用しても、淀みない空気の流動性を保証することが出来る。【選択図】図２
0003229292.tif 000002
【実用新案登録請求の範囲】
【請求項１】
横胴縁を介して外壁材を設ける木造住宅の外壁構造において、
前記横胴縁の室内側に、
縦方向に延びるスペーサを適宜の左右間隔で配設し、
当該スペーサを介して構造用合板と前記横胴縁との間に、
空気を流動させる通気層を形成することを特徴とする木造住宅の外壁構造。
【請求項２】
縦方向に延びるスペーサは、
木造住宅で用いる縦胴縁と略同様の上下寸法をもって設計配置するとともに、
木造住宅で用いる縦胴縁と略同様の左右間隔をもって設計配設することを特徴とする請求項１記載の木造住宅の外壁構造。
【請求項３】
縦方向に延びるスペーサによって形成する通気層のクリアランスは、
縦胴縁を用いて形成する木造住宅の通気層と略同様に設計することを特徴とする請求項１または請求項２記載の木造住宅の外壁構造。
【考案の詳細な説明】
【技術分野】
【０００１】
本考案は、木造住宅の外壁構造に係り、とくに外壁の裏面（室内側）に設ける空気の通気層の構造に関する。
【背景技術】
【０００２】
図４は、木造住宅、とくに寒冷地の木造住宅の外壁構造の特徴を例示するものである。
【０００３】
寒冷地等の木造住宅１は、家屋内Ｒの温度と外気温度との差に起因して生じる結露、とくに、外壁材（サイディング材）２の裏面（室内側面）に生じやすい結露を防止するため、躯体を構成する構造用合板（構造面材）３と外壁材２との間にクリアランス（隙間）を設けて通気層５とすることがある。
【０００４】
通気層５は、空気Ｑを、外壁材２の下端部開口および上端部開口を介して流入／排出させ、空気の滞留による結露が外壁材２の裏面に生じないようにする役割を果たす。６は土台、７は屋根、８は小屋裏である。
【０００５】
通気層５は、小屋裏８と連通させ、室内空気を小屋裏を介して室内空気を入れ換え可能とする場合が多い。図４は、傾斜屋根を例示したが、降雪地で用いられるフラットルーフ（陸屋根）も同じである。
【０００６】
躯体を構成する構造用合板３と外壁材２との間に通気層５を形成するときは、所定の肉厚をもった、以下に説明する縦胴縁または横胴縁を用いる。
【０００７】
図５は、縦胴縁１０を使用する外壁構造を例示するものである。
【０００８】
１１は間柱、１２は、柱（柱）および間柱１１の間に配設する断熱材、１４は、室内側に配する防湿シート、１５は、構造用合板３の屋外側表面に配した透湿防水シートである。
【０００９】
縦胴縁１０は、例えば、構造用合板３を介在させて間柱（および柱）１１の屋外側に固定する。縦胴縁１０の横方向の配設間隔は、柱（図示せず）／間柱１１の横方向間隔と一致させることが望ましい。固定金具は、適宜手段、例えば、釘、ねじ、クリップ等を用いることが出来る。縦胴縁１０を用いる場合は、横長の外壁材２（２−１）を用いることが多い。
【００１０】
縦胴縁１０を用いる外壁構造の平面断面図を、図６に示す。
【００１１】
図７は、横胴縁２０を使用する外壁構造を例示するものである。その他の部分は、図５に示す縦胴縁１０を使用する構造と同様である。横胴縁２０を用いる場合は、縦長の外壁材２（２−２）を用いることが多い。
【００１２】
横胴縁２０を用いる外壁構造の平面断面図を、図８に示す。符号２９は、隣接する横胴縁２０の間に設けた隙間である。隙間２９は、空気を上下方向に流動させる機能を果たす。隙間２９に代え、横胴縁２０に凹部または孔部を設けて空気を上下方向に流動させる場合もある。
【００１３】
従来、木造住宅の外壁に通気層５を設ける技術としては、下記特許文献１、特許文献２が公知である。
【先行技術文献】
【特許文献】
【００１４】
【特許文献１】特開２００２−３２２７４６
【特許文献２】実用新案登録第３２１１０８２号
【考案の開示】
【考案が解決しようとする課題】
【００１５】
問題は、横胴縁（２０）を用いた場合の通気性の悪さである。
【００１６】
図７に示すように、横胴縁（２０）を用いた外壁構造の通気層（５）では、空気の上下流動が横胴縁（２０）によって妨げられるからである。
【００１７】
これを改善するため、従来、隣接する横胴縁（２０）の間に隙間（２９）や凹部、孔部を設ける等の対処をしているが（図８参照）、空気の上下流動を妨げずに大きな断面積の通気層（５）を確保できる縦胴縁（１０）に較べると、空気の滞留が生じやすい構造となっている。
【００１８】
しかし、建物の外観デザインの都合上、横胴縁を用いることが好ましい場合も少なくないので、すべての木造住宅の外壁を縦胴縁構造とすることも難しい。
【００１９】
そこで、本考案の目的は、横胴縁を介して外壁材を固定する木造住宅において、通気層を流れる空気の流動性を良好にすることにある。
【課題を解決するための手段】
【００２０】
前記目的を達成するため、本考案に係る木造住宅の外壁構造は、横胴縁を介して外壁材を設ける木造住宅の外壁構造を技術的前提として、前記横胴縁の室内側に、縦方向に延びるスペーサを適宜の左右間隔で配設し、当該スペーサを介して構造用合板と前記横胴縁との間に、空気を流動させる通気層を形成する（請求項１）。
【００２１】
この構造は、横胴縁に起因する空気滞留に鑑みて、横胴縁の室内側（裏面）に縦方向に延びるスペーサを配することにより、構造用合板と横胴縁との間に通気層を形成するものである。
【００２２】
縦方向に延びるスペーサを介して形成される通気層は、上下方向に流動する空気の流れを妨げない。外壁材を固定するために横胴縁を採用しても、淀みない空気の流動性を保証することが出来る。
【００２３】
スペーサは、外壁材を固定するための受け材ではないから、左右の離隔寸法、肉厚、上下寸法等は、適宜設定することが出来る。
【００２４】
縦方向に延びる（長い）スペーサは、木造住宅で用いる縦胴縁と略同様の上下寸法をもって設計配置するとともに、木造住宅で用いる縦胴縁と略同様の左右間隔をもって設計配設する場合がある（請求項２）。
【００２５】
従来から使用されている縦胴縁の配設技術を用いることによって、スペーサの配設作業を容易化させることが出来るからである。
【００２６】
縦方向に延びるスペーサによって形成する通気層のクリアランスは、縦胴縁を用いて形成する木造住宅の通気層と略同様に設計する場合がある（請求項３）。
【００２７】
これによれば、例えば、従来から使用されている縦胴縁の材料（資材）を用いることが可能となり、スペーサ用の資材を別途に用意する必要性がなくなり、建築コストを抑えることが可能となる。
【考案の効果】
【００２８】
本考案に係る木造住宅の外壁構造によれば、横胴縁を介して外壁材を固定する木造住宅において、通気層を流れる空気の流動性を良好にすることが出来る。
【図面の簡単な説明】
【００２９】
【図１】実施形態に係る外壁構造を例示する斜視図である。
【図２】実施形態に係る外壁構造を平面から示す断面図である。
【図３】実施形態に係る外壁構造を側面から示す断面図である。
【図４】従来の木造住宅の外壁に設ける通気層を例示する図である。
【図５】従来の縦胴縁を用いた外壁構造を例示する斜視図である。
【図６】従来の縦胴縁を用いた外壁構造を平面から示す断面図である。
【図７】従来の横胴縁を用いた外壁構造を例示する斜視図である。
【図８】従来の横胴縁を用いた外壁構造を平面から示す断面図である。
【考案を実施するための形態】
【００３０】
図１〜図３は、本考案に係る木造住宅の外壁構造を例示するものである。
【００３１】
基本的な構造は、図４〜図８に示した構造と略同様である。２１は間柱、２２は、柱（柱）および間柱２１の間に配設する断熱材、２４は、断熱材２２および間柱２１の室内側に配する防湿シート、２５は、構造用合板２６の屋外側表面に配する透湿防水シートである。
【００３２】
３０は、通気層４０（図２参照）を形成するために配設するスペーサ、３１は、横胴縁、３２は、横胴縁３１を介して固定する外壁材（サイディング；外壁化粧材）である。
【００３３】
スペーサ３０は、従来の横胴縁と略同一の寸法間隔、長さとすることが出来る。例えば、柱（図示せず）、間柱２１に釘等の固定金具を介して固定する等である。
【００３４】
しかしながら、スペーサ３０は外壁材３２を固定するものではないから、横方向の離隔寸法や上下方向の長さは、従来の木造建築で用いられる縦胴縁の設計と異なっても良い。例えば、上下方向の寸法（長さ）を適宜短くしても通気層４０（図２参照）を形成するという目的は達成できるし、左右の離隔寸法を大きくしても通気層４０は形成できるからである。
【００３５】
スペーサ３０は、好ましくは木製角材を用いる。資材の調達が容易だからである。しかしながら、通気層４０（図２参照）を形成することが可能であれば、樹脂または金属製の柱材等を使用しても良い。
【００３６】
スペーサに３０に、横胴縁３１を固定する。固定金具は、例えば、釘、ねじ、クリップ等を使用することが出来る。
【００３７】
横胴縁３１は、従来の木造住宅と同じ役目であり、外壁材３２を固定するための受け材として機能する。従って、従来の木造住宅で用いられる伝統的な設計寸法に基づいて配設することが望ましい。また従来同様、材質は木製、形状は角柱とすることが望ましい。
【００３８】
従来の木造住宅では、通気性を確保するため、左右の横胴縁３１の間に隙間を設けたり、横胴縁３１の適宜箇所に凹部や孔部を設けたが、スペーサ３０によって通気層４０を形成できる。従って、横胴縁３１の配設時に隙間を設けたり、凹部や孔部を形成する必要はない。
【００３９】
ただし、従来通り、隙間、凹部、孔部等、通気性を向上させる措置を講じても良い。この横胴縁３１を介して外壁材３２を固定することは、従来と同様である。
【００４０】
かかる構造によれば、横胴縁３１を用いて外壁材３２を配設する外壁構造において、スペーサ３０を介した通気層４０を形成できるので、外壁材３２の裏面（屋内側の表面）は、常に、通気層４０を上下動する空気に晒され、結露を生じることがない。通気層４０を上下動する空気は、横胴縁３１の上下の隙間を介して外壁材３２の裏面（屋内側の表面）と常に接触できる。
【００４１】
耐震性等の躯体強度は、柱（図示せず）、構造用合板（構造面材）２６等によって設計保証できるので、スペーサ３０、横胴縁３１、外壁材３２は、脆弱でない限りは、経年劣化（腐食等）し難い材質のものを用いればよい。
【００４２】
スペーサ３０と横胴縁３１とを組み合わせて形成する通気層（４０）は、縦胴縁だけを用いた従来の外壁構造とは異なる空気の流動作用を惹起する。
【００４３】
縦胴縁（１０）だけを用いた従来の外壁構造（図５、図６参照）は、上下方向の空気の流動を保証（担保）できるが、左右の縦胴縁（１０）を跨いで空気が流動することは困難である。
【００４４】
しかし、スペーサ３０と横胴縁３１とを組み合わせた外壁構造の通気層（４０）では、図３に符号Ｓ１として示す空間（横胴縁３１の上下に出来る空間）が、空気の左右の流動を許容する。
【００４５】
このため、スペーサ３０と横胴縁３１とを組み合わせた通気層（４０）は、空気の上下流動、左右流動がともに可能となり、外壁材３２の裏面（室内側面）だけでなく、柱、間柱２１、構造用合板（構造面材）２６の表面に生じる結露を防止して、木造住宅の外観品質、構造強度を長期にわたって維持／保証することが可能となる。
【００４６】
スペーサ３０は、従来の縦胴縁と異なり、外壁材３２を固定させるものではないから、縦方向に延びる一本の長尺材である必要はない。例えば、上下方向に、適当間隔の隙間を設けて配設し、横胴縁３１を固定できる機能を備えれば良いからである。上下方向に、適当間隔の隙間を設けて配設すれば、左右方向の空気の流動性はより向上する。
【符号の説明】
【００４７】
２１  間柱
２２  断熱材
２４  防湿シート
２５  透湿防水シート
２６  構造用合板
３０  スペーサ
３１  横胴縁
３２  外壁材（サイディング；外壁化粧材）
４０  通気層
Ｓ１  空間（横胴縁の上下に出来る空間）
【図１】
0003229292.tif 000003
【図２】
0003229292.tif 000004
【図３】
0003229292.tif 000005
【図４】
0003229292.tif 000006
【図５】
0003229292.tif 000007
【図６】
0003229292.tif 000008
【図７】
0003229292.tif 000009
【図８】
0003229292.tif 000010